(57)【要約】      （修正有）【課題】防水効果及び放熱効果を有する室外照明装置を提供する。【解決手段】ランプハウジング２は基板１上に設けられ、光源モジュール３の発光部材３１は基板の下側に設けられている。光源モジュール３の放熱部材３２は基板１とランプハウジング２との間に設けられ、基板１下側には透光マスク４が設置されている。放熱部材３２は固定部材３３により基板１に固定される。発光部材３１は収容室内に位置し、放熱部材３２は収容室外に位置する。【選択図】図２
0003184314.tif 000002
【実用新案登録請求の範囲】
【請求項１】
少なくとも１つの貫通穴を有する基板と、
前記基板に設けられており、放熱孔を有するランプハウジングと、
前記基板の前記ランプハウジングとは反対側に位置している発光部材、及び前記基板とランプハウジングとの間に位置している放熱部材により構成され、前記発光部材および前記放熱部材のうちの何れか１方が前記基板の貫通穴に設けられており、他方が前記基板に固定されている光源モジュールと、
前記基板の前記ランプハウジングとは反対側に設けられており、少なくとも１つの固定部材により前記基板に固定されており、前記基板との間で水分が進入することを抑制可能な密閉型の収容室を形成可能である透光マスクを備え、
前記発光部材は前記収容室内に位置し、前記放熱部材は前記収納室外に位置していることを特徴とする室外照明装置。
【請求項２】
リング状のシールリングをさらに備え、
前記基板は、水平方向に延出され周方向に形成されている上縁端部を有し、当該上縁端部の前記透光マスク側に上端溝部が周方向に形成されており、
前記透光マスクは、水平方向に延出され周方向に形成されている下縁端部を有し、当該下縁端部の前記基板側に前記上端溝部に対向する下端溝部が周方向に形成されており、
前記シールリングは、前記上縁端部の前記上端溝槽と前記下縁端部の前記下端溝部との間に設けられており、
前記基板は、互いに対向する位置に突起部が設けられており、２つの固定用ねじにより２つの突起部が前記ランプハウジングに固定されることで、前記ランプハウジングに固定され、
前記透光マスクは、互いに対向する位置に設けられている固着部材により前記基板に固着されていることを特徴とする請求項１に記載の室外照明装置。
【請求項３】
前記固着部材は、上端ホック部、下端ホック部、ならびに前記上端ホック部および前記下端ホック部を連結する連結部を有し、前記上端ホック部が前記下端ホック部に向いて突出する上端凸部を有し、前記下端ホック部が前記上端ホック部に向いて突出する下端凸部を有し、
前記上縁端部は前記上端凸部に対応する位置に形成されている上端凹部を有し、
前記下縁端部は前記下端凸部に対応する位置に形成されている下端凹部を有することを特徴とする請求項２に記載の室外照明装置。
【請求項４】
前記光源モジュールの前記放熱部材は、前記貫通穴を貫通する接続部を有し、固定部材により前記基板に固定され、
前記接続部は、前記基板との間に設けられているシールリングを収容する環状凹部、および、ねじ部を有し、
前記固定部材は前記接続部に螺設可能であるナットであることを特徴とする請求項１に記載の室外照明装置。  
【考案の詳細な説明】
【技術分野】
【０００１】
本考案は、室外照明装置に関する。
【背景技術】
【０００２】
従来の技術では、ランプシェードに放熱孔が形成されているため、塵、埃、或いは湿気が放熱孔からランプシェード内部に進入し、ＬＥＤ室外照明装置、均熱器或いは放熱フィンに堆積すると、ＬＥＤ室外照明装置の放熱効果に影響を及ぼすことが知られている。（特許文献１の記載を参照。）。
【０００３】
従って、従来の技術は放熱器をランプシェードの内壁面上に貼り付け、放熱器及びランプシェードの表面により熱エネルギーを伝導することで放熱効率を大幅に向上することができる。従来の技術のランプシェードでは、複数の放熱孔が形成されているため、塵や埃が均熱器及び三熱フィンの表面に堆積し、放熱面を被覆することで、放熱効率に影響する。
【先行技術文献】
【特許文献】
【０００４】
【特許文献１】台湾特許出願第Ｍ３６４１８1号明細書
【考案の概要】
【考案が解決しようとする課題】
【０００５】
しかしながら、前述した従来の技術では、ランプシェード、フレーム、及び導熱板により形成される密閉空間は、内部の清浄度を保持し、防塵及び水の浸入を抑制することができるが、前記ランプシェード内が密閉されているため通気性が低下し放熱不良の問題がある。ＬＥＤモジュールが通電され発光すると、熱エネルギーが熱管を経由して、フィン、導熱媒体、及びランプシェードに伝導されるが、ランプシェード内が密閉されているため熱エネルギーが完全にランプシェード内に留まる。よって、全てのランプシェードと外界との熱交換により冷却しなければならず、ランプシェードが高温となり、フィンを設置する意味がなくなり、放熱不良という問題がある。
【０００６】
そこで、本考案者は上記の欠点が改善可能と考え、鋭意検討を重ねた結果、合理的かつ効果的に上記の課題を改善する本考案の提案に到った。
【０００７】
本考案は、上述の問題に鑑みてなされたものである。本考案は、防水効果及び放熱効果を有する室外照明装置を提供することを目的とする。
【課題を解決するための手段】
【０００８】
本考案による室外照明装置は、基板、ランプハウジング、光源モジュール、および透光マスクを備える。基板は少なくとも１つの貫通穴を有する。
ランプハウジングは、基板に設けられており、放熱孔を有する。
光源モジュールは、基板のランプハウジングとは反対側に位置している発光部材、及び基板とランプハウジングとの間に位置している放熱部材により構成され、発光部材および放熱部材のうちの何れか１方が基板の貫通穴に設けられており、他方が基板に固定されている。透光マスクは、基板のランプハウジングとは反対側に設けられており、少なくとも１つの固定部材により基板に固定されており、基板との間で水分が進入することを抑制可能な密閉型の収容室を形成可能である。発光部材は収容室内に位置し、放熱部材は収納室外に位置している。これにより、防水効果及び放熱効果を有する。
【図面の簡単な説明】
【０００９】
【図１】本考案の一実施形態による室外照明装置を示す斜視図である。
【図２】本考案の一実施形態による室外照明装置を示す分解斜視図である。
【図３】本考案の一実施形態による室外照明装置を示す断面図である。
【図４】本考案の一実施形態による室外照明装置を示す断面図である。
【図５】本考案の一実施形態による室外照明装置の要部を示す断面図である。
【考案を実施するための形態】
【００１０】
以下に図面を参照して、本考案の実施形態について、詳細に説明する。なお、本考案は、以下に説明する実施形態に限定されるものではない。
【００１１】
（一実施形態）
まず、本考案の一実施形態による室外照明装置について説明する。
本考案の一実施形態の構成を図１から図５に示す。これらの図は、本考案の一実施形態を説明するためのものであり、本考案を限定するものではない。
【００１２】
図１〜図３に示すように、本実施形態の室外照明装置は、基板１、ランプハウジング２、光源モジュール３、及び透光マスク４を備える。図２、図３に示すように、基板１は、十字状の貫通穴１１を有し、各貫通穴１１は光源モジュール３に対応するよう形成されている。ランプハウジング２は基板１上に設けられ、複数の放熱孔２１を有する。本実施形態では、基板１の互いに対向する位置に突起部１２が設けられている。基板１は、２つの固定用ねじ１３により２つの突起部１２を貫通することでランプハウジング２に固定されている。本実施形態ではランプハウジング２は楕円形の外殻であり、基板１は矩形を呈する。
【００１３】
また、図２、図３に示すように、光源モジュール３は発光部材３１及び放熱部材３２を有する。発光部材３１は基板１のランプハウジング２とは反対側（以下、「下側」という）に位置し、放熱部材３２は基板１のランプハウジング２側（以下、「上側」という）に位置している。放熱部材３２は、基板１とランプハウジング２との間に位置する。発光部材３１と放熱部材３２とのうちの何れか一方は基板１の貫通穴１１に設けられ、他方は基板１に固定されている。
【００１４】
なお、図２、図３に示すように、透光マスク４は基板１の下側に設けられ、少なくとも１つの固着部材により基板１に固着されている。透光マスク４と基板１との間には密閉されている収容室５が形成されており、発光部材３１は収容室５内に位置し、放熱部材３２は収容室５外に位置している。
【００１５】
また、図３、図４に示すように、本実施形態では、光源モジュール３の放熱部材３２は貫通穴１１を貫通している接続部３２１を有する。本実施形態では接続部３２１はねじ部を有し、固定部材３３により接続部３２１が基板１に固定されることで、放熱部材３２が基板１上に固定される。本実施形態では、固定部材３３は接続部３２１に螺設されているナットである。接続部３２１には、放熱部材３２と基板１との間に設けられているシールリング３４を収容する環状凹部３５が形成されている。シールリング３４は、水分が貫通穴１１から収容室５内に侵入するのを抑制する。
【００１６】
図３〜図５に示すように、基板１は水平方向に延出され周方向に形成されている上縁端部１４を有し、上縁端部１４の透光マスク４側に上端溝部１４１が周方向に形成されている。透光マスク４は水平方向に延出され周方向に形成されている下縁端部４１を有し、下縁端部４１は上側に上環凹槽１４１に対向する下端溝部４１１が周方向に形成されている。下縁端部４１と上縁端部１４とは互いに貼り合わされている。シールリング４２は上環凹槽１４１と下端溝部４１１との間に設けられており、水分が上縁端部１４と下縁端部４１との間から収容室５内へ侵入するのを抑制する。
【００１７】
また、図２、図３に示すように、透光マスク４の互いに対向する位置には固着部材が設けられており、透光マスク４を基板１に固着する。固着部材はホック部６である。ホック部６は、図５のように、上端ホック部６１、下端ホック部６２、および連結部６３を有する。上端ホック部６１は下端ホック部６２に向いて突出する上端凸部６１１を有し、下端ホック部６２は上端ホック部６１に向いて突出する下端凸部６２１を有する。上縁端部１４は上端凸部６１１に対応する位置に上端凹部１４２が形成されており、下縁端部４１は下端凸部６２１に対応する位置に下端凹部４１２が形成されている。上端凸部６１１及び下端凸部６２１は、それぞれ上端凹部１４２及び下端凹部４１２と嵌合する。ホック部６は透光マスク４と基板１とを固着する。
【００１８】
以上に述べたとおりに、基板１は透光マスク４に固着部材により固着された後、本収容室５がシールリング３４及びシールリング４２により密封され、水分の進入が抑制される。よって、光源モジュール３の発光部材３１に対して確実な防水効果を達成することができる。また、光源モジュール３の放熱部材３２は、収容室５外のランプハウジング２の下に位置し、ランプハウジング２は放熱孔２１を有し非密閉状態となる。水分は密閉されている収容室５に進入することができず、発光部材３１の回路が湿気により損壊することを抑制することができる。よって、良好な防水効果および良好な放熱効果を得ることができる。
【００１９】
ちなみに、ランプハウジング２の形状を円形或いは正方形等の異なる形状に変更するた場合、基板１をランプハウジング２に合わせた形状に変化する。固定用ねじ１３により２つの突起部１２を貫通して、基板１とランプハウジング２とを固定することで、基板１とランプハウジング２と組み立てが簡便になる。
【００２０】
以上、本考案はこのような実施形態に限定されるものではなく、考案の趣旨を逸脱しない範囲において、種々の形態で実施することができる。
【符号の説明】
【００２１】
１・・・基板、
１１・・・貫通穴、
１２・・・突起部、
１３・・・固定用ねじ、
１４・・・上縁端部、
１４１・・・上端溝部、
１４２・・・上端凹部、
２・・・ランプハウジング、
３・・・光源モジュール、
３１・・・発光部材、
３２・・・放熱部材、
３２１・・・接続部、
３３・・・固定部材、
３４・・・シールリング、
３５・・・環状凹部、
４・・・透光マスク、
４１・・・下縁端部、
４１１・・・下端溝部、
４１２・・・下端凹部、
４２・・・シールリング、
５・・・収容室、
６・・・ホック部、
６１・・・上端ホック部、
６１１・・・上端凸部、
６２・・・下端ホック部、
６２１・・・下端凸部、
６３・・・連結部。
【図１】
0003184314.tif 000003
【図２】
0003184314.tif 000004
【図３】
0003184314.tif 000005
【図４】
0003184314.tif 000006
【図５】
0003184314.tif 000007